(57)【特許請求の範囲】
【請求項１】
メガネフレーム本体と擬似フレームを備えた眼の疲れを軽減する眼鏡であって、
メガネフレームを構成するフロント部およびテンプル部の内側にゴム磁石が配設され、
前記擬似フレームは、
擬似フロント部と１対の擬似テンプル部を備えるとともに、
擬似フロント部と擬似テンプル部の内側に磁石あるいは金属粒を配設し、
前記メガネフレーム本体の内側に着脱自在に取り付けられることによって、前記メガネフレーム本体と一体となって眼鏡使用者に着用される
ことを特徴とする眼の疲れを軽減する眼鏡。
【請求項２】
前記磁石あるいは金属粒が配設される箇所は、眼の疲れに効果のあるツボの付近であることを特徴とする請求項１に記載の眼の疲れを軽減する眼鏡。
【請求項３】
前記擬似フロント部と前記擬似テンプル部のそれぞれに係止部材を設け、これらの係止部材によって、前記擬似フレームを前記メガネフレーム本体に固定することを特徴とする請求項１又は請求項２のいずれかに記載の眼の疲れを軽減する眼鏡。
【請求項４】
メガネフレーム本体に対応した擬似フロント部と１対の擬似テンプル部を備えた擬似フレームであって、擬似フロント部と擬似テンプル部の内側に金属粒あるいは磁石を配設し、メガネフレーム本体の内側に着脱自在に取り付けられることによって、メガネフレーム本体と一体となって眼鏡使用者に着用されることを特徴とする眼の疲れを軽減する擬似フレーム。
【発明の詳細な説明】
【技術分野】
【０００１】
磁気発生体あるいは金属粒を、メガネフレームの内側に直接配設し、あるいは、メガネフレームの内側に取り付けられることによりメガネフレームと一体となって顔に装着される擬似フレームの内側に配設することによって、眼の疲れを軽減する眼鏡に関する。
【背景技術】
【０００２】
パソコン作業や車の運転を継続して行うと眼の疲労、頭痛、肩こりなどを覚える。特に近視、遠視、乱視などの屈折異常があるため眼鏡を使用する人にとって、この傾向は顕著である。
ところで、人間の眼の周辺にはいくつかのツボがあり、このツボを刺激すると血行がよくなって、眼の疲労などが軽減することが知られている。このことに着目し、特開平８−３０４７４３号には、メガネフレームの内側、つまり眼鏡使用者の皮膚に接する側に、磁気を帯びさせた眼鏡の発明が開示されている。また、特開平１１−３３７８８０号記載の「気」を発生する眼鏡は、ツボ付近に位置する箇所に気の発生体を配設したものである。
【０００３】
【特許文献１】特開平８−３０４７４３号公報
【特許文献２】特開平１１−３３７８８０号公報
【発明の開示】
【発明が解決しようとする課題】
【０００４】
前記の特許文献１、２に開示されているのは、通常のメガネフレームの内側に磁気や「気」の発生体を配したものである。しかし、眼の周辺の血行をよくする方法は磁気だけではない。ツボを指圧することも効果的である。そのため、本発明は、磁気に加えて、指圧に類した効果も同時に得られるようなメガネフレームの提供を目的とする。
【０００５】
また、眼の疲れをおぼえるのは、パソコン作業や車の運転中などが主であり、眼鏡を着用しているからといって、常に磁気などでツボを刺激する必要があるわけではない。さらに、外出する場合など、磁石などが内側に付されたメガネフレームを着用することに抵抗を覚える人もいる。そのため、本発明は、必要なときのみ眼鏡に磁気を発生させられる仕組みとしての眼鏡付属品の提供も目的とする。
【課題を解決するための手段】
【０００８】
本発明の目的を実現するために、請求項１に記載の発明は、メガネフレーム本体と擬似フレームを備えた眼の疲れを軽減する眼鏡であって、
メガネフレームを構成するフロント部およびテンプル部の内側にゴム磁石が設され、
前記擬似フレームは、
擬似フロント部と１対の擬似テンプル部を備えるとともに、
擬似フロント部と擬似テンプル部の内側に磁石あるいは金属粒を配設し、
前記メガネフレーム本体の内側に着脱自在に取り付けられることによって、前記メガネフレーム本体と一体となって眼鏡使用者に着用されることを特徴とする眼の疲れを軽減する眼鏡に関するものである。
「内側」とは、眼鏡使用者の顔に接する側の意味である。
【０００９】
これにより、磁石が発生する磁気と、ゴムが眼鏡着用者の皮膚を押圧することによる刺激とがあいまって、眼の疲れを軽減する効果が高まる。
また、メガネフレーム自体は、磁気を帯びていない従来のメガネフレームであっても、擬似フレームを取り付けることで、磁気による疲れの軽減効果が得られる。
【００１０】
「メガネフレーム本体」とは、通常の眼鏡において、レンズを保持するフレームのことを意味する。「擬似フレーム」とは、メガネフレーム本体の内側に取り付けて用いる一種の眼鏡付属品のことである。擬似フレームは、メガネフレーム本体のフロント部と１対のテンプル部のそれぞれ内側の位置に取り付けられるようにするためには、フロント部およびテンプル部に対応した部分を備える必要がある。このフロント部に対応した部分を「擬似フロント部」、テンプル部に対応した部分を「擬似テンプル部」という。
「金属粒」は金属の粒状体であって、鍼や指圧の原理の応用として、現在物理療法において用いられているものである。
【００１１】
また、本発明の目的を実現するために、前記金属粒あるいは磁石が配設される箇所として、眼の疲れに効果のあるツボの付近を選ぶとよい。
これにより、疲労軽減効果が一層高まる。
【００１２】
さらに、本発明の目的を実現するために、前記擬似フロント部と前記擬似テンプル部に係止部材を設け、これらの係止部材によって、前記擬似フレームを前記メガネフレーム本体に固定するようにしてもよい。
これにより、擬似フレームをメガネフレーム本体に取り付けたり、取り外したりすることが簡単にできる。
【００１３】
請求項１に記載の発明の構成要素である擬似フレームも本発明である。
これにより、普段使っている眼鏡や気に入った眼鏡であって、磁気を発生させないものであっても、この擬似フレームを併せて着用することにより、眼の疲れを軽減できる。
【発明の効果】
【００１４】
本発明の眼鏡を着用すれば、眼の疲れ、それに伴う頭痛や肩こりが軽減されうる。特に、眼のツボの位置を考慮して金属粒あるいは磁石を配置すると、軽減効果が一層高まる。
また、擬似フレームを併用する場合は、眼が疲れたときなどの必要なときのみ取り付け、外出時などには取り外すなどの使い分けができる。さらに、この擬似フレームは、通常のメガネフレームとほぼ同様の大きさと形状を持つので、外出時などは、眼鏡ケースに入れて持ち運びができる。
【発明を実施するための最良の形態】
【００１５】
〔第１の実施形態〕
図１、図２に従い、第１実施形態の眼鏡について説明する。
眼鏡１は、１対のレンズ２とメガネフレーム３から構成される。
メガネフレーム３は、フロント部４と１対のテンプル部５から構成され、フロント部４は、左右のレンズ枠６、レンズ枠６同士をつなぐブリッジ７、１対の鼻パッド８を含む。
【００１６】
フロント部４とテンプル部５の内側、つまり眼鏡着用者の皮膚に接する側に、ゴム磁石を接着剤などによって固着する。図２に示す例では、フロント部４とテンプル部５の内側のほぼ全体にゴム磁石９を貼り付けている。ゴム磁石９は、必ずしも着用者の皮膚に接触しなくてもよい。しかし、眼の周辺に有るツボの付近において、ゴム磁石９が皮膚に密着するならば、磁気による効果だけでなく、指圧に類似した効果も得られる。したがって、メガネフレーム３の内側に貼り着けるゴム磁石９の厚さは、眼鏡１を着用したときに、いくつかのツボの位置では皮膚に密着する程度であることが望ましい。なお、ゴム磁石９の厚さをこのようにすることで、眼鏡１が顔からずり落ちることを防止できるという効果もある。
【００１７】
ここで、眼の周辺のツボとしては、図３、図４に示すように、糸竹空、瞳子りょう、太陽、晴明、上明、外明、球后、承泣、さん竹などがある。これらのツボは、指圧等をして血行をよくすれば、眼の疲れが取れると考えられている点である。したがって、これらのツボに向けて磁気を発生させたり、指圧をしたりすることで、眼の疲れとそれに伴う頭痛や肩こりなどが軽減できると考えられる。
【００１８】
なお、パソコンの画面を長時間使用したり、細かい手作業をしたりすることで眼が疲れるのは、眼鏡の使用者に限らない。そのため、眼鏡を使用しない人、あるいは、コンタクトレンズを使用している人は、レンズ２無しの状態で、メガネフレーム３を着用すれば、眼の疲れが軽減される。
【００１９】
次に、この実施形態を若干変形した例を示す。
図５に示す例では、ゴム磁石を、メガネフレーム３の内側の任意箇所に点在させている。図５の二重丸１０で表したのは、ゴム磁石の配置箇所の例である。例えば、位置１０ａは、「上明」と呼ばれるツボに対応する。同様に、位置１０ｂ、１０ｃ、１０ｄは、それぞれ「瞳子りょう」、「承泣」、「太陽」に対応する。これらは、例示であり、ツボ付近の箇所を含むならば、ゴム磁石の個数や位置は特に限定しない。図２のようにメガネフレーム３の内側のほぼ全体に貼り付ける場合に比べ、ゴム磁石の量が少ないので、軽く、かつ、コストも安くできる。
【００２０】
〔第２の実施形態〕
図６、図７に従い、第２の実施形態の眼鏡について説明する。この実施形態は、第１実施形態と比較すると、メガネフレームの内側に直接磁石を固着等させるかわりに、磁気を帯びた擬似フレームを使用する点で相違する。メガネフレーム自体は、直接磁石を固着等させることを除けば、第１実施形態と異なるものではない。したがって、第１実施形態と同一の構成要素については、図１と同一の符号を用いて説明する。
【００２１】
この実施形態の眼鏡２１は、レンズ２、メガネフレーム３及び擬似フレーム２２から構成される。
擬似フレーム２２は、擬似フロント部２３と、１対の擬似テンプル部２４から構成され、
擬似フロント部２３は、擬似ブリッジ２５でつながる２つの擬似レンズ枠２６からなる。この擬似フロント部２３は、メガネフレーム３（以下「フレーム本体３」）のフロント部４の内側に位置する部分なので、フレーム本体３のフロント部４に類似の形状をしている。但し、擬似フロント部２３には、鼻パッドは必須ではない。フレーム本体３にある鼻パッド８で、眼鏡２１がずり落ちることを防止できるからである。
なお、擬似レンズ枠２６は、レンズを嵌め込むものではないが、度の着いていないカラーレンズを嵌め込む等のファッションを考えてもよい。
【００２２】
擬似フロント部２３の擬似レンズ枠２６の上側の部分には、係止部材２７が設けられている。図６では、左右の擬似レンズ枠２６のそれぞれに２個の係止部材２７が設けられているが、２個に限るものではなく、例えば１個でもよい。フレーム本体３に、この擬似フレーム２２が確実に固定されている限り、任意である。
係止部材２７の形状としては、図６に示すようにＵ字形状などが考えられる。しかし、これに限るものではない。
【００２３】
擬似テンプル部２４は、擬似フロント部２３の両サイドのそれぞれに連接する２つのパートからなる。各擬似テンプル部２４は、フレーム本体３のテンプル部５の内側に位置するので、眼鏡着用者の耳にかかる部分２８において折れ曲がっている。
【００２４】
各擬似テンプル部２４の端部には、１個ずつの係止部材２９が設けられ、この係止部材２９でテンプル部５を引っ掛ける。このように、係止部材２７と係止部材２９とを用いて、擬似フレーム２２はフレーム本体３に確実に固定される。
なお、係止部材２９の形状としては、図６に示すようにＵ字形状などが考えられるが、これに限るものではない。
【００２５】
擬似フレーム２２を形成する材料は、合成樹脂、ゴム、チタン合金など、特に限定しない。但し、レンズ２が嵌めこまれたフレーム本体３と合わせて使用するので、軽い材質が望ましい。また、可撓性も必要である。擬似テンプル部２４の耳にかかる部分２８を、眼鏡着用者の頭部のサイズ等に合わせて適宜曲げて使用しなければならない、といったことがあるからである。
なお、必ずしも同一の材質で擬似フレーム２２を形成しなければならないわけではない。例えば、係止部材２７，２９のみ、バネ材を用い、その弾性力によって擬似フレーム２２をフレーム本体３に確実に固定させるようにしてもよい。
【００２６】
擬似フレーム２２を構成する擬似フロント部２３、擬似テンプル部２４の内側には、着用者の皮膚に向けて磁気を発生させるための磁石３０を適宜個数配設する。磁石３０の種類は、微弱な磁気を発生させるものであればよいので、特に限定しない。また、磁石３０の配設の仕方は、擬似フレーム２２の内側に接着剤などで固着してもよく、埋め込んでもよい。あるいは、擬似フレーム２２を形成する原材料に磁気を帯びた粉状物を練り込んでもよい。
【００２７】
磁石３０は、この擬似フレーム２２を着用したときに、眼の周辺のツボ（図３、図４参照）に近接する箇所に配設することが望ましい。
磁石３０は、擬似フレーム２２の内側から着用者の皮膚に向けて盛り上がった形状とし、皮膚に接触させるようにしてもよいが、皮膚とは非接触であってもよい。
【００２８】
図７は、擬似フレーム２２をフレーム本体３に取り付けた様子を示すものである。図中、フレーム本体３は、破線で示してある。
この擬似フレーム２２を使用する場合は、係止部材２７によって、フレーム本体３のフロント部４と擬似フロント部２３を連結し、係止部材２９によって、フレーム本体３のテンプル部５と擬似テンプル部２４を連結するだけでよい。眼鏡使用者は、フレーム本体３と擬似フレーム２２とが一体になった眼鏡２１を、通常の眼鏡を装着する場合とまったく同様に装着すればよい。継続してパソコンを使用したり、テレビを長時間視聴したりする場合など、この擬似フレーム２２を用いるならば、内側の磁石３０の発する磁気によって、眼の周辺の血行がよくなり、疲れが軽減される。
【００２９】
次に、第２実施形態の変形例を説明する。
擬似フレーム２２の内側には、磁石３０の代わりに、金属粒を配設してもよい。
この金属粒は、使用を続けているうちに効果が低下することがあるので、金属粒を利用する擬似フレームは、使い捨てられることが多い。そのため、フレーム本体とは別に、擬似フレームのみを入手可能とするなどの考慮が必要である。
【００３０】
なお、前記のように開示された実施の形態はすべての点で例示であって、制限的なものではない。したがって、種々の変形が可能である。しかし、その変形が特許請求の範囲に記載された技術思想に基づくものである限り、その変形は本発明の技術的範囲に含まれる。
【産業上の利用可能性】
【００３１】
眼の疲れを軽減するという付加価値のある眼鏡として、あるいは、健康器具の一種として製造・販売ができる。
【図面の簡単な説明】
【００３２】
【図１】第１実施形態の眼鏡のメガネフレームの斜視図である。
【図２】第１実施形態の眼鏡の部分斜視図である。
【図３】眼の周辺にあるツボを示す図である。
【図４】眼の周辺にあるツボを示す図である。
【図５】第１実施形態の変形例の斜視図である。
【図６】第２実施形態の眼鏡を構成するフレーム本体および擬似フレームの斜視図である。
【図７】フレーム本体に擬似フレームが取り付けられたことにより構成される第２実施形態の眼鏡を示す部分斜視図である。
【符号の説明】
【００３３】
１  （第１の実施形態の）眼鏡
３  メガネフレーム
４  フロント部
５  テンプル部
９，１０  ゴム磁石
２１  （第２の実施形態の）眼鏡
２２  擬似フレーム
２３  擬似フロント部
２４  擬似テンプル部
２７、２９  係止部材
３０  磁石
【図１】
0004780768.tif 000002
【図３】
0004780768.tif 000003
【図４】
0004780768.tif 000004
【図５】
0004780768.tif 000005
【図６】
0004780768.tif 000006
【図７】
0004780768.tif 000007
【図２】
0004780768.tif 000008